(57)【要約】【課題】巻取軸の強度を増大させたり径を大きくさせたりすることなく、巻取軸の撓みを抑制することができるロールスクリーン装置を提供すること。【解決手段】開口部１５の上方に回転可能に支持された巻取軸２０と、上端が巻取軸２０に係止され、かつ下端がボトムバー５０に連結されたスクリーン３０とを備え、巻き取り操作を行うことによりスクリーン３０が巻取軸２０に巻き取られる一方、繰り出し操作を行うことにより巻取軸２０に巻き取られたスクリーン３０が繰り出されて開口部１５を覆うことが可能なロールスクリーン装置であって、巻取軸２０に巻き取られたスクリーン３０の最も上方の表面よりも上方側となる領域に回転可能に配設された滑車６０と、滑車６０を経由した状態で一端が巻取軸２０に係止されるとともに他端がボトムバー５０に連結されたワイヤケーブル７０とを備えたものである。【選択図】図２
2015017409.tif 000002
【特許請求の範囲】
【請求項１】
開口部の上方に回転可能に支持された巻取軸と、
上端が前記巻取軸に係止され、かつ下端がボトムバーに連結されたスクリーンと
を備え、
巻き取り操作を行うことにより前記スクリーンが前記巻取軸に巻き取られる一方、繰り出し操作を行うことにより前記巻取軸に巻き取られた前記スクリーンが繰り出されて前記開口部を覆うことが可能なロールスクリーン装置であって、
前記巻取軸に巻き取られたスクリーンの最も上方の表面よりも上方側となる領域に配設された転回部材と、
前記転回部材を経由した状態で一端が前記巻取軸に係止されるとともに他端が前記ボトムバーに連結された連結部材と
を備えたことを特徴とするロールスクリーン装置。
【請求項２】
前記連結部材は、前記転回部材を経由する部分から前記ボトムバーに連結する部分までの領域が前記巻取軸に巻き取られたスクリーンから離隔するように、当該転回部材を経由して設けられたことを特徴とする請求項１に記載のロールスクリーン装置。
【請求項３】
前記連結部材は、前記転回部材を経由する部分から前記ボトムバーに連結する部分までの領域が前記巻取軸に巻き取られたスクリーンから離隔するように、前記転回部材よりも下方側に設けられた誘導部材を経由して設けられたことを特徴とする請求項１に記載のロールスクリーン装置。
【請求項４】
前記転回部材は、前記巻取軸とともに前記開口部の上方に設置された収納ボックスに収納されたことを特徴とする請求項１〜３のいずれか一つに記載のロールスクリーン装置。
【請求項５】
前記開口部に左右一対となる態様で配設され、かつ前記スクリーンの両側縁部を上下にスライド可能に保持するガイド部材を備えたことを特徴とする請求項１〜４のいずれか一つに記載のロールスクリーン装置。
【発明の詳細な説明】
【技術分野】
【０００１】
本発明は、ロールスクリーン装置に関するものである。
【背景技術】
【０００２】
従来、例えば特許文献１に提案されたロールスクリーン装置が知られている。このロールスクリーン装置は、巻取軸と、スクリーンと、左右一対のガイドレールとを備えて構成されている。
【０００３】
巻取軸は、建物の開口部の上方に配設された収納ボックスに架設され、自身の中心軸回りに回転可能に支持されている。スクリーンは、上端が巻取軸に係止され、下端がボトムバーに連結されている。左右一対のガイドレールは、開口部の左側縁部及び右側縁部に設けられており、スクリーンの左右両側縁部を上下にスライド可能に保持するものである。
【０００４】
このようなロールスクリーン装置においては、巻き取り操作を行うことによりスクリーンが巻取軸に巻き取られて収納ボックスに収納される一方、繰り出し操作を行うことにより巻取軸に巻き取られたスクリーンが収納ボックスより下方に繰り出されて開口部を閉塞することが可能になる。
【先行技術文献】
【特許文献】
【０００５】
【特許文献１】特開２０１３−７２０５号公報
【発明の概要】
【発明が解決しようとする課題】
【０００６】
ところで、上記特許文献１に提案されているロールスクリーン装置では、巻取軸に対してスクリーンの重量及びボトムバーの重量が作用している。しかも巻取軸は、両端部が回転可能に支持されることで収納ボックスに架設されているだけである。そのため、巻取軸は、スクリーン及びボトムバーの重量に加え、自身の自重によって撓む虞れがある。特に開口部の開口幅（左右幅）が大きくなるとスクリーン及びボトムバーの重量が大きくなり、巻取軸の撓みがより顕著となる。
【０００７】
このような巻取軸の撓みは、開口部を閉塞するスクリーンに皺を生じさせるとともに、巻取軸の回転が不安定なものとなり、巻取軸に巻き取られたスクリーンの一部が収納ボックスの内面に接触等して巻き取り操作及び繰り出し操作に違和感を生じさせる虞れがあった。
【０００８】
かかる巻取軸の撓みを解消するために巻取軸の強度を大きくしたり、巻取軸の径を大きくしたりすることが考えられるが、巻取軸の強度を大きくすることは巻取軸の製造コストの増大化を招来してしまう。その一方、巻取軸の径を大きくすることは収納ボックスの大型化を招来し、結果的にロールスクリーン装置の適用個所を制限させてしまう虞れがあった。
【０００９】
本発明は、上記実情に鑑みて、巻取軸の強度を増大させたり径を大きくさせたりすることなく、巻取軸の撓みを抑制することができるロールスクリーン装置を提供することを目的とする。
【課題を解決するための手段】
【００１０】
上記目的を達成するために、本発明に係るロールスクリーン装置は、開口部の上方に回転可能に支持された巻取軸と、上端が前記巻取軸に係止され、かつ下端がボトムバーに連結されたスクリーンとを備え、巻き取り操作を行うことにより前記スクリーンが前記巻取軸に巻き取られる一方、繰り出し操作を行うことにより前記巻取軸に巻き取られた前記スクリーンが繰り出されて前記開口部を覆うことが可能なロールスクリーン装置であって、前記巻取軸に巻き取られたスクリーンの最も上方の表面よりも上方側となる領域に配設された転回部材と、前記転回部材を経由した状態で一端が前記巻取軸に係止されるとともに他端が前記ボトムバーに連結された連結部材とを備えたことを特徴とする。
【００１１】
この発明によれば、転回部材が、巻取軸に巻き取られたスクリーンの最も上方の表面よりも上方側となる領域に配設されており、連結部材が、転回部材を経由した状態で一端が巻取軸に係止されるとともに他端がボトムバーに連結されているので、巻取軸に作用する荷重の一部を上方に逃がすことができる。
【００１２】
また本発明は、上記ロールスクリーン装置において、前記連結部材は、前記転回部材を経由する部分から前記ボトムバーに連結する部分までの領域が前記巻取軸に巻き取られたスクリーンから離隔するように、当該転回部材を経由して設けられたことを特徴とする。
【００１３】
この発明によれば、連結部材が、転回部材を経由する部分からボトムバーに連結する部分までの領域が巻取軸に巻き取られたスクリーンから離隔するように、当該転回部材を経由して設けられているので、巻き取り操作及び繰り出し操作が行われる場合に、該連結部材が巻取軸に巻き取られたスクリーンに接触する虞れがなく、かかる操作を良好に行うことができる。
【００１４】
また本発明は、上記ロールスクリーン装置において、前記連結部材は、前記転回部材を経由する部分から前記ボトムバーに連結する部分までの領域が前記巻取軸に巻き取られたスクリーンから離隔するように、前記転回部材よりも下方側に設けられた誘導部材を経由して設けられたことを特徴とする。
【００１５】
この発明によれば、連結部材が、転回部材を経由する部分からボトムバーに連結する部分までの領域が巻取軸に巻き取られたスクリーンから離隔するように、転回部材よりも下方側に設けられた誘導部材を経由して設けられているので、巻き取り操作及び繰り出し操作が行われる場合に、該連結部材が巻取軸に巻き取られたスクリーンに接触する虞れがなく、かかる操作を良好に行うことができる。
【００１６】
また本発明は、上記ロールスクリーン装置において、前記転回部材は、前記巻取軸とともに前記開口部の上方に設置された収納ボックスに収納されたことを特徴とする。
【００１７】
この発明によれば、転回部材が巻取軸とともに開口部の上方に設置された収納ボックスに収納されているので、転回部材や巻取軸を個別に配設しなくても収納ボックスを設置するだけで、転回部材や巻取軸を所望の個所に支持させることができる。
【００１８】
また本発明は、上記ロールスクリーン装置において、前記開口部に左右一対となる態様で配設され、かつ前記スクリーンの両側縁部を上下にスライド可能に保持するガイド部材を備えたことを特徴とする。
【００１９】
この発明によれば、開口部に左右一対となる態様で配設されたガイド部材が、スクリーンの両側縁部を上下にスライド可能に保持するので、スクリーンを良好に巻き取るとともに、繰り出すことができる。
【発明の効果】
【００２０】
本発明によれば、巻取軸の強度を増大させたり径を大きくさせたりすることなく、巻取軸の撓みを抑制することができるという効果を奏する。
【図面の簡単な説明】
【００２１】
【図１】図１は、本発明の実施の形態であるロールスクリーン装置の主要な構成要素を模式的に示す斜視図である。
【図２】図２は、本発明の実施の形態であるロールスクリーン装置の縦断面図である。
【図３】図３は、本発明の実施の形態であるロールスクリーン装置の横断面図である。
【図４】図４は、本発明の実施の形態であるロールスクリーン装置の縦断面図である。
【図５】図５は、本発明の実施の形態であるロールスクリーン装置の縦断面図である。
【図６】図６は、本発明の実施の形態であるロールスクリーン装置の変形例の縦断面図である。
【発明を実施するための形態】
【００２２】
以下に添付図面を参照して、本発明に係るロールスクリーン装置の好適な実施の形態について詳細に説明する。
【００２３】
図１は、本発明の実施の形態であるロールスクリーン装置の主要な構成要素を模式的に示す斜視図であり、図２は、本発明の実施の形態であるロールスクリーン装置の縦断面図であり、図３は、本発明の実施の形態であるロールスクリーン装置の横断面図である。
【００２４】
ここで例示するロールスクリーン装置は、開口枠に設けられた図示せぬ窓（例えば、引き違い窓や嵌め殺し窓、すべり出し窓等）の室内側の額縁１０に設けたものである。額縁１０は、上額縁１１、下額縁１２及び左右一対の縦額縁１３，１４を四周組みすることによって方形状に構成したものであり、矩形状の開口部１５を形成するものである。
【００２５】
ロールスクリーン装置は、巻取軸２０、スクリーン３０、ガイドレール（ガイド部材）４１，４２を備えて構成してある。
【００２６】
巻取軸２０は、左右方向が軸方向となるロッド状のものである。この巻取軸２０は、上額縁１１に図示せぬブラケットを介して装着された収納ボックス２１に収納されており、自身の中心軸回りに回転可能となるよう収納ボックス２１の左右の側壁２２に架設してある。収納ボックス２１は、巻取軸２０等を収納する筐体であり、その下面の室外側には、引出口２３が設けてある。引出口２３は、左右方向が長手方向となる長尺状の開口であり、スクリーン３０を通過させるものである。
【００２７】
スクリーン３０は、長尺状のシート状物であり、左右幅は巻取軸２０の左右方向の長さと略等しい大きさを有している。このスクリーン３０は、上端が巻取軸２０に係止されている。つまり、スクリーン３０は、巻取軸２０が中心軸回りに回転する際に巻取軸２０に巻き取られるものである。このようなスクリーン３０の左右の両側縁部には被案内部３１，３２が設けてある。
【００２８】
また、スクリーン３０は、下端がボトムバー５０に連結されている。ボトムバー５０は、左右方向が長手方向となる長尺状のものであり、左右方向の長さはスクリーン３０の左右幅よりも僅かに小さいものである。
【００２９】
スクリーン３０とボトムバー５０とは、次のようにして連結されている。スクリーン３０の下端縁には下端被案内部３３が設けてあり、ボトムバー５０の上面にはボトム溝５１が形成してある。ボトム溝５１は、左右方向に沿って延在するものであり、図２に示すように下端被案内部３３の膨出部３３ａよりも幅狭となる抜止部５１ａが形成してある。そして、スクリーン３０の下端被案内部３３がボトム溝５１に進入するよう、ボトムバー５０をスクリーン３０に対して左右方向に相対的にスライドさせる。この際、下端被案内部３３の膨出部３３ａは、抜止部５１ａよりも下方に位置するようにする。その後、ボトムバー５０の両端部にボトムバーキャップ５２，５３を装着することにより、スクリーン３０とボトムバー５０とが連結される。このようにスクリーン３０の下端にボトムバー５０が連結されることにより、スクリーン３０に上下方向の張力が付与されることになる。
【００３０】
ガイドレール４１，４２は、開口部１５に左右一対となる態様で配設してある。左側のガイドレール４１（以下、左側ガイドレール４１ともいう）は、左側の縦額縁１３（以下、左縦額縁１３ともいう）にアタッチメント部材４０ａを介して取り付けたものであり、上下方向が長手方向となるものである。この左側ガイドレール４１の右端面には、第１左ガイド溝４１ａ及び第２左ガイド溝４１ｂが形成してある。
【００３１】
第１左ガイド溝４１ａは、上下方向に沿って延在するものであり、スクリーン３０の左側縁部に設けた被案内部３１（以下、左側被案内部３１ともいう）の膨出部３１ａよりも幅狭となるものである。この左側ガイドレール４１の内部には左側被案内部３１の膨出部３１ａの進入を許容する空間が形成してある。
【００３２】
第２左ガイド溝４１ｂは、上下方向に沿って延在するものであり、第１左ガイド溝４１ａよりも室内側に設けてある。この第２左ガイド溝４１ｂは、ボトムバー５０の左端部に装着したボトムバーキャップ５２（以下、左側ボトムバーキャップ５２ともいう）の左側に向けて突出する左突片５２ａの進入を許容するものである。
【００３３】
右側のガイドレール４２（以下、右側ガイドレール４２ともいう）は、右側の縦額縁１４（以下、右縦額縁１４ともいう）にアタッチメント部材４０ｂを介して取り付けたものであり、上下方向が長手方向となるものである。この右側ガイドレール４２の左端面には、第１右ガイド溝４２ａ及び第２右ガイド溝４２ｂが形成してある。
【００３４】
第１右ガイド溝４２ａは、上下方向に沿って延在するものであり、スクリーン３０の右側縁部に設けた被案内部３２（以下、右側被案内部３２ともいう）の膨出部３２ａよりも幅狭となるものである。この右側ガイドレール４２の内部には右側被案内部３２の膨出部３２ａの進入を許容する空間が形成してある。
【００３５】
第２右ガイド溝４２ｂは、上下方向に沿って延在するものであり、第１右ガイド溝４２ａよりも室内側に設けてある。この第２右ガイド溝４２ｂは、ボトムバー５０の右端部に装着したボトムバーキャップ５３（以下、右側ボトムバーキャップ５３ともいう）の右側に向けて突出する右突片５３ａの進入を許容するものである。
【００３６】
上記ロールスクリーン装置においては、上記構成の他、滑車（転回部材）６０及びワイヤケーブル７０が設けてある。滑車６０は、収納ボックス２１に収納されており、図２に示すように該収納ボックス２１の上壁面２４において左右方向に沿って延在する中心軸回りに回転可能に配設してある。この滑車６０は、巻取軸２０の長手方向の中央部分における該巻取軸２０の上方側、より詳細には、巻取軸２０に巻き取られたスクリーン３０の最も上方の表面（図５の符号Ａ）よりも上方側となる領域に配設してある。上記滑車６０は、引出口２３の直上域における、巻取軸２０に巻き取られたスクリーン３０の最も上方の表面よりも上方側となる個所に配設してある。
【００３７】
ワイヤケーブル７０は、図２に示すように、滑車６０を経由した状態で、一端７１が巻取軸２０に形成された孔部２０ａを貫通して該巻取軸２０に係止されており、他端７２がボトムバー５０に連結されている連結部材である。本実施の形態では、ワイヤケーブル７０を連結部材の一例として示しているが、本発明においては、ボトムバーを牽引可能な部材であれば、ワイヤケーブル７０のみに限定されず、針金や紐等の索条体等を連結部材に用いても構わないし、紐状や帯状等の形態は問わない。但し、伸縮性の低い材料から形成されるものであることが好ましい。
【００３８】
そして、上述したように滑車６０が引出口２３の直上域に配設してあるので、滑車６０は、自身より他端７２側のワイヤケーブル７０が巻取軸２０に巻き取られたスクリーン３０から離隔するよう設けられている。
【００３９】
尚、図２中の符号８０はボールチェーンである。かかるボールチェーン８０を一方向に沿って変位させることでスクリーン３０の巻き取り操作を行うことができ、ボールチェーン８０を他方に沿って変位させることでスクリーン３０の繰り出し操作を行うことができる。
【００４０】
このようなロールスクリーン装置は、次のようにして組み立てられるものである。まず、引出口２３よりスクリーン３０の一部及びワイヤケーブル７０の一部が垂下した状態の収納ボックス２１を、ブラケットを介して上額縁１１に取り付ける。
【００４１】
ここで、スクリーン３０の下端部及びワイヤケーブル７０の他端７２には、次のようにしてボトムバー５０が予め連結されている。スクリーン３０の下端被案内部３３がボトム溝５１に進入するよう、ボトムバー５０をスクリーン３０に対して左右方向に相対的にスライドさせ、ボトムバー５０の両端部にボトムバーキャップ５２，５３を装着することで、スクリーン３０の下端部にボトムバー５０が連結されている。またこの際、ワイヤケーブル７０の他端７２がボトムバー５０の所定個所に連結されている。
【００４２】
そして、スクリーン３０及びワイヤケーブル７０を下方に引き出して、左側ボトムバーキャップ５２の左突片５２ａを第２左ガイド溝４１ｂに進入させるとともに、右側ボトムバーキャップ５３の右突片５３ａを第２右ガイド溝４２ｂに進入させ、その後に、スクリーン３０の左側被案内部３１が第１左ガイド溝４１ａを進入するよう左側ガイドレール４１をスクリーン３０に対して相対的に移動させるとともに、スクリーン３０の右側被案内部３２が第１右ガイド溝４２ａを進入するよう右側ガイドレール４２をスクリーン３０に対して相対的に移動させる。
【００４３】
その後、左側ガイドレール４１を左縦額縁１３にアタッチメント部材４０ａを介在させて取り付けるとともに、右側ガイドレール４２を右縦額縁１４にアタッチメント部材４０ｂを介在させて取り付ける。
【００４４】
このようにして組み立てられたロールスクリーン装置においては、巻き取り操作を行うことにより、図４に示すようにスクリーン３０が巻取軸２０に巻き取られる。このとき、ワイヤケーブル７０も巻取軸２０に巻き取られる。そして、図５に示すようにボトムバー５０が収納ボックス２１の下面に当接してスクリーン３０が収納ボックス２１に収納される。
【００４５】
かかる図５に示すようにスクリーン３０が収納ボックス２１に収納された状態から繰り出し操作を行うことにより、図４に示すように巻取軸２０に巻き取られたスクリーン３０が収納ボックス２１より引出口２３を通じて下方に繰り出される。このときワイヤケーブル７０も巻取軸２０から滑車６０を経由して下方に繰り出される。そして、図２に示すようにボトムバー５０が下額縁１２に載置されることで開口部１５を閉塞することができる。
【００４６】
このような本実施の形態であるロールスクリーン装置によれば、滑車６０が収納ボックス２１において巻取軸２０に巻き取られたスクリーン３０の最も上方の表面よりも上方側となる領域に回転可能に配設され、ワイヤケーブル７０が滑車６０を経由した状態で一端７１が巻取軸２０に係止されるとともに他端７２がボトムバー５０に連結されていることで、ワイヤケーブル７０は、巻取軸２０によって巻き取られる方向と、ボトムバー５０の荷重を受けて繰り出される方向（下方向）とに滑車６０を基点として分岐されて引っ張られることになり、これにより巻取軸２０に作用する荷重の一部を上方に逃がすことができる。従って、巻取軸２０の強度を増大させたり径を大きくさせたりすることなく、巻取軸２０の撓みを抑制することができる。
【００４７】
このように巻取軸２０の強度を増大させたり径を大きくさせたりする必要がないので、網戸を巻き取る既存の巻取シャフトを巻取軸２０として適用することができ、製造コストの低減化を図ることができる。
【００４８】
上記ロールスクリーン装置によれば、ワイヤケーブル７０の一端７１が巻取軸２０に係止されることでワイヤケーブル７０はスクリーン３０とともに巻取軸２０に巻き取られるので、スクリーン３０の巻き太りを防止することができる。特に、ワイヤケーブル７０もスクリーン３０も共通の巻取軸２０に巻き取られるので、ワイヤケーブルとスクリーンとを別個の巻取軸に巻き取られる構成を採用するのに比してスペースを小さくすることができ、収納ボックス２１の大型化を招来する虞れもない。
【００４９】
上記ロールスクリーン装置によれば、滑車６０が、自身より他端側のワイヤケーブル７０が巻取軸２０に巻き取られたスクリーン３０から離隔するよう設けられているので、つまり、ワイヤケーブル７０が、滑車６０を経由する部分からボトムバー５０に連結する部分までの領域が巻取軸２０に巻き取られたスクリーン３０から離隔するように、当該滑車６０を経由して設けられているので、巻き取り操作及び繰り出し操作が行われる場合に、該ワイヤケーブル７０が巻取軸２０に巻き取られたスクリーン３０に接触する虞れがなく、かかる操作を良好に行うことができる。
【００５０】
上記ロールスクリーン装置によれば、滑車６０が巻取軸２０とともに開口部１５の上方に設置された収納ボックス２１に収納されているので、滑車６０や巻取軸２０を個別に配設しなくても収納ボックス２１を設置するだけで、滑車６０や巻取軸２０を所望の個所に支持させることができる。
【００５１】
上記ロールスクリーン装置によれば、開口部１５に左右一対となる態様で配設されたガイドレール４１，４２が、スクリーン３０の両側縁部の被案内部３１，３２を上下にスライド可能に保持するので、スクリーン３０を良好に巻き取るとともに、繰り出すことができる。
【００５２】
以上、本発明の好適な実施の形態について説明したが、本発明はこれに限定されるものではなく、種々の変更を行うことができる。
【００５３】
上述した実施の形態では、転回部材の一例として滑車６０を例示したが、本発明は、かかる滑車６０に限られず回転しないピン部材等を転回部材として用いてもよい。つまり、本発明の転回部材は、滑車６０のように回転可能なものに限られず、回転しないものであってもよい。
【００５４】
上述した実施の形態では、滑車６０は、引出口２３の直上域における、巻取軸２０に巻き取られたスクリーン３０の最も上方の表面よりも上方側となる個所に配設してあったが、本発明においては、転回部材は、巻取軸に巻き取られたスクリーンの最も上方の表面よりも上方側となる個所であればその場所は限定されない。
【００５５】
上述した実施の形態では、滑車６０及びワイヤケーブル７０を１つずつ設けた例を示したが、本発明においては、転回部材及び連結部材（ワイヤケーブル）は巻取軸の長手方向に沿って複数設けてもよい。転回部材及び連結部材は、スクリーンの左右幅の大きさに応じてその数が適宜選択されればよい。
【００５６】
上述した実施の形態では、引出口２３が収納ボックス２１の下面の室外側に形成されており、滑車６０は引出口２３の直上域に配設してあるので、滑車６０を該滑車６０より他端７２側のワイヤケーブル７０が巻取軸２０に巻き取られたスクリーン３０から離隔するよう設けられていたが、本発明においては、引出口の形成個所は収納ボックスの下面であれば限定されないし、転回部材の配設個所も上述したように巻取軸に巻き取られたスクリーンの最も上方の表面よりも上方側となる個所であれば限定されない。そのため、引出口の形成個所及び転回部材の配設個所によっては、転回部材より他端側の連結部材が巻取軸に巻き取られたスクリーンに接してしまう場合が考えられる。このような場合には、図６に示すように、滑車（転回部材）６１を経由するワイヤケーブル（連結部材）７０がガイドピン（誘導部材）９０を経由するようにして、該ガイドピン９０より他端側のワイヤケーブル７０が巻取軸２０に巻き取られたスクリーン３０から離隔するように構成してもよい。
【符号の説明】
【００５７】
１０  額縁
１５  開口部
２０  巻取軸
２１  収納ボックス
２３  引出口
３０  スクリーン
３１  左側被案内部
３２  右側被案内部
３３  下端被案内部
４１  左側ガイドレール（ガイド部材）
４１ａ  第１左ガイド溝
４１ｂ  第２左ガイド溝
４２  右側ガイドレール（ガイド部材）
４２ａ  第１右ガイド溝
４２ｂ  第２右ガイド溝
５０  ボトムバー
５１  ボトム溝
５２  左側ボトムバーキャップ
５３  右側ボトムバーキャップ
６０  滑車（転回部材）
６１  滑車（転回部材）
７０  ワイヤケーブル（連結部材）
９０  ガイドピン（誘導部材）
【図１】
2015017409.tif 000003
【図２】
2015017409.tif 000004
【図３】
2015017409.tif 000005
【図４】
2015017409.tif 000006
【図５】
2015017409.tif 000007
【図６】
2015017409.tif 000008